(57)【要約】【課題】撮像部に併設するＬＥＤから発生する熱を効率的に冷却することが可能な撮像装置を提供すること。【解決手段】フレキシブルプリント基板に実装されたＬＥＤ発光部を具備するＬＥＤユニットと、ＬＥＤユニットを保持する放熱板と、放熱板を保持し、一端に風路の一側面となる曲げ部を具備する保持板と、フレキシブルプリント基板の一端から延長される、ＬＥＤ発光部と同一面に実装するコネクタ部と、風路を形成するダクトを具備するファンを有し、熱伝導によって放熱板に伝わるＬＥＤの熱が、保持板に伝熱され、ファンから発生する気流が前記保持板の前記曲げ部を冷却することを特徴とする。【選択図】図２
2016085256.tif 000002
【特許請求の範囲】
【請求項１】
撮像レンズと、前記撮像レンズに併設され、フレキシブルプリント基板に実装されたＬＥＤ発光部を具備するＬＥＤユニットと、前記撮像レンズと前記ＬＥＤユニットの前方の配置される保護窓と、前記ＬＥＤユニットを保持する放熱板と、前記放熱板を保持し、一端に風路の一側面となる曲げ部を具備する保持板と、前記フレキシブルプリント基板の一端から延長される、前記ＬＥＤ発光部と同一面に実装するコネクタ部と、前記撮像レンズに併設され、風路を形成するダクトを具備するファンを有し、熱伝導によって前記放熱板に伝わる前記ＬＥＤの熱が、前記保持板に伝熱され、ファンから発生する気流が前記保持板の前記曲げ部を冷却することを特徴とする撮像装置。
【請求項２】
前記フレキシブルプリント基板の一端から延長される延長部を曲げた状態となり、前記延長部の先端に位置する前記コネクタ部が、前記保持板の前記曲げ部の一面に保持されることを特徴とする請求項１に記載の撮像装置。
【発明の詳細な説明】
【技術分野】
【０００１】
本発明は、撮像レンズと発光部を搭載する撮像装置に関する。
【背景技術】
【０００２】
近年、監視を目的としたネットワークカメラの需要は急速に伸びている。特に、夜間等の暗闇を監視するネットワークカメラは、赤外ＬＥＤ等の発光部を搭載する等の工夫を凝らしている。例えば車載用カメラは、撮像部に隣接してＬＥＤを配置しているものが多く開発されている。
【０００３】
暗闇を照らす発光部は、遠方の照度を確保する必要があり、ＬＥＤの出力は高いことが望まれる。しかしながら、ＬＥＤの出力を上げると、高熱を発生するため、放熱手段が必要となる。
【０００４】
特許文献１に上記懸念の解決手段の一つとなる技術が提案されている。特許文献１は、高輝度ＬＥＤと、高輝度ＬＥＤの熱を放熱するための放熱板を備えたＬＥＤモジュールを搭載し、撮像部が具備する撮像センサの露光期間に対応するように、高輝度ＬＥＤの発光トリガパルスを制御するものであり、高輝度ＬＥＤの温度上昇を放熱板の放熱作用によって抑制しようとするものである。
【先行技術文献】
【特許文献】
【０００５】
【特許文献１】特許第４９３２１７０号公報
【発明の概要】
【発明が解決しようとする課題】
【０００６】
しかしながら、暗闇を長時間照らすＬＥＤを搭載するネットワークカメラでは、ＬＥＤの発熱量が大きく、加えて屋外に設置される事を装置して、密閉構造になっている事が多く、更なる冷却手段を要することがある、という課題がある。
【０００７】
そこで、本発明の目的は、撮像部に併設するＬＥＤから発生する熱を効率的に冷却することが可能な撮像装置を提供することにある。
【課題を解決するための手段】
【０００８】
上記の目的を達成するために、請求項１の発明は、撮像レンズと、前記撮像レンズに併設され、フレキシブルプリント基板に実装されたＬＥＤ発光部を具備するＬＥＤユニットと、前記撮像レンズと前記ＬＥＤユニットの前方の配置される保護窓と、前記ＬＥＤユニットを保持する放熱板と、前記放熱板を保持し、一端に風路の一側面となる曲げ部を具備する保持板と、前記フレキシブルプリント基板の一端から延長される、前記ＬＥＤ発光部と同一面に実装するコネクタ部と、前記撮像レンズに併設され、風路を形成するダクトを具備するファンを有し、熱伝導によって前記放熱板に伝わる前記ＬＥＤの熱が、前記保持板に伝熱され、ファンから発生する気流が前記保持板の前記曲げ部を冷却することを特徴とする撮像装置である。
【０００９】
請求項２の発明は、請求項１の撮像装置において、前記フレキシブルプリント基板の一端から延長される延長部を曲げた状態となり、前記延長部の先端に位置する前記コネクタ部が、前記保持板の前記曲げ部の一面に保持されることを特徴とする。
【発明の効果】
【００１０】
本発明の撮像装置によれば、ＬＥＤから発生する熱は、放熱板を介して放熱されると同時に、ファンが放熱板を冷却するため、放熱板及びＬＥＤの昇温を抑制することが出来る、といった効果がある。
【００１１】
また、直接の効果ではないが、ＦＰＣの延長部を曲げてコネクタを接続することで、ケーブルの処理がしやすく、レンズユニットとの距離を縮める事が出来るため、撮像装置の小型化を図ることが出来る、といった効果も期待できる。
【図面の簡単な説明】
【００１２】
【図１】実施例１に記載の撮像装置の概略斜視図
【図２】実施例１に記載の撮像装置の本体の分解斜視図
【図３】実施例１に記載の撮像装置のＬＥＤユニットの詳細図
【図４】実施例１に記載の撮像装置のＬＥＤユニット及びレンズユニットの断面図
【図５】実施例１に記載の撮像装置のメインユニットの分解斜視図
【図６】実施例１に記載の撮像装置の本体の断面図
【発明を実施するための形態】
【００１３】
以下、本発明を実施するための形態を図面に基づいて説明する。
【００１４】
（実施例１）
本発明のポイントは、
（１）放熱板によるＬＥＤの昇温抑制
（２）撮像装置の小型化
（３）冷却ファンによる放熱板及びＬＥＤの昇温抑制
である。そこで、（１）から（３）を順に説明していく。
【００１５】
（１）放熱板によるＬＥＤ昇温抑制
図１は本発明を適用した撮像装置の概略斜視図である。撮像装置１は、本体１０と、本体１０を外部からの飛来物や風雨、直射日光から保護するためのボックス２で構成される。ケーブル３は、本体１０の内部に配置された制御基板への電源供給を行うためのものである。ボックス２の背面には不図示の開口部があり、ケーブル３が通るようになっている。
【００１６】
図２は本体１０の分解斜視図である。撮像の為のレンズユニット１２及び不図示の制御基板は、メインケース１１の内部に配置されている。尚、レンズユニット１２及び不図示の制御基板については後述するため、ここでの詳細説明を割愛する。
【００１７】
メインケース１１の前方には、レンズユニット１２に併設されるＬＥＤユニット１５が配置されている。ＬＥＤユニット１５は、放熱板１６に保持され、更にＬＥＤユニット１５を保持する放熱板１６は、プレート１７に保持される。ＬＥＤユニット１５の前方には、ＬＥＤユニット１５の光がレンズユニット１２に入り込むのを防止する遮光部１４ａを具備する保護窓１４が配置されており、フロントケース１３とプレート１７を締結することにより、フロントケース１３とプレート１７の間に配置された保護窓１４も固定される。
【００１８】
プレート１７には、凹部１７ａがあるが、これについては後述するので、ここでの説明は割愛する。
【００１９】
図３はＬＥＤユニット１５の詳細図である。ＬＥＤユニット１５は、一面にＬＥＤ１５ａを搭載したフレキシブルプリント基板（以下、ＦＰＣ）１５ｂの裏面に粘着層があり、放熱板１６に貼り付けられている。ＦＰＣ１５ｂの一端から延長される延長部１５ｃの先端には、板部１５ｅと、板部１５ｅの一面に固定されたコネクタ１５ｄが配置される。放熱板１６は、ＬＥＤ１５ａから発生する熱を、熱伝導によって奪い、ＬＥＤ１５ａの温度上昇を抑制する。放熱板１６には、曲げ部１６ａが形成されているが、その役割については後述する。
【００２０】
以上により、放熱板の熱伝導作用により、ＬＥＤの昇温を抑制する効果を得ることが出来る。
【００２１】
（２）撮像装置の小型化
図４はＬＥＤユニット１５及びレンズユニット１２の断面図である。尚、ＬＥＤユニット１５は、レンズユニット１２を挟んで上下に配置されているが、上下のＬＥＤユニットは同様の構成であるため、本説明では、上側のＬＥＤユニットのみを説明する。
【００２２】
ＬＥＤユニット１５への電源供給は、延長部１５ｃを図示のように曲げ、コネクタ１５ｄが図示右側になるよう取り付け、本体側から延長される不図示のケーブルを接続する事で行う。その際、板部１５ｅは、プレート１７に配置された凹部１７ａの一面に固定されるため、ケーブルの接続のし易さを向上させている。凹部１７ａが形成されている理由は、板部１５ｅを取り付けるためのねじ先端が、放熱板１６及びＬＥＤユニット１５に接触して電気不良を起こすことを防止するためである。
【００２３】
また、放熱板１６が具備する曲げ部１６ａは、延長部１５ｃを曲げた際、延長部１５ｃがエッジにあたって、断線するのも防止するためのものである。
【００２４】
図５はメインケース１１に内包されたメインユニットの分解斜視図である。メインフレーム２３の側面に、制御基板２４と、ダクト２１を具備するファン２２が配置される。また、受光センサ１８を具備するレンズユニット１２は、レンズフレーム２０に保持されている。メインフレーム２３がレンズフレーム２０を保持することで、各部を一体化する構成となる。
【００２５】
以上のように、ＦＰＣの延長部を曲げてコネクタ接続するため、ケーブル接続のし易さを確保すると同時に、ケーブルがレンズユニットの撮像方向の反対側から接続する構成自体がケーブルの飛び出しを防止する。従って、レンズユニットとＬＥＤユニットの距離を縮める事が可能なので、撮像装置の小型を図る事が出来る。
【００２６】
（３）冷却ファンによる放熱板及びＬＥＤの昇温抑制
図６は本体１０の断面図である。断面方向は、図６（ａ）の通りである。ファン２２の送風方向は図６（ｂ）に示すように、図中上側に配置されたファン２２ａで発生する気流が、ダクト２１ａとプレート１７の曲げ部１７ａの作用によって、レンズユニット１２と保護窓１４で形成される隙間を通り、ダクト２１ｂを介して、ファン２２ｂに引き込まれる。
【００２７】
前述のように、プレート１７は、放熱板１６を保持する部材であり、放熱板１６を介してＬＥＤユニット１５の熱が、プレート１７に伝熱される構成となっている。曲げ部１７ａは風路の一側面を形成しているので、放熱板１６を介して伝熱されたＬＥＤユニット１５の熱を、ファン２２で発生する気流で冷却する。
【００２８】
以上の説明のように、冷却ファンの冷却作用により、放熱板及びＬＥＤの昇温を抑制することが出来る。
【符号の説明】
【００２９】
１  撮像装置、２  ボックス、３  ケーブル、１０  本体、１１  メインケース、
１２  レンズユニット、１３  フロントケース、１４  保護窓、１４ａ  遮光部、
１５  ＬＥＤユニット、１５ａ  ＬＥＤ、
１５ｂ  フレキシブルプリント基板（ＦＰＣ）、１５ｃ  延長部、１５ｄ  コネクタ、
１５ｅ  板部、１６  放熱板、１７  プレート、１７ａ  曲げ部、１８  受光センサ、
２０  レンズユニット、２１  ダクト、２２  ファン、２３  メインフレーム、
２４  制御基板
【図１】
2016085256.tif 000003
【図２】
2016085256.tif 000004
【図３】
2016085256.tif 000005
【図４】
2016085256.tif 000006
【図５】
2016085256.tif 000007
【図６】
2016085256.tif 000008